(57)【特許請求の範囲】
【請求項１】
遊技場に設置され、データを記憶する記憶手段とデータの消去動作を制御する処理部を有する端末機からのデータをホール管理コンピュータで管理する遊戯場管理装置において、
前記端末機内の記憶手段に記憶されたデータの消去を行うデータ消去装置を備えた端末機のデータ消去システムであって、
前記ホール管理コンピュータは、その内部の集計データを消去に伴って前記ホール管理コンピュータから前記データ消去装置に対して消去信号を出力し、
前記データ消去装置は、その消去信号を受信すると前記端末機へ電源電圧を供給し、
前記端末機内の処理部は、前記電源電圧を供給されたことにより、前記記憶手段に記憶されていたでたデータを消去し、かつ、消去完了を知らせる消去完了信号を前記データ消去装置に送信し、
前記データ消去装置は、消去完了信号を前記ホール管理コンピュータに送信し、
前記ホール管理コンピュータは前記データ消去装置に対して消去信号の解除信号を出力して前記データ消去装置からの電源電圧の供給を停止させることを特徴とする端末機のデータ消去システム。
【請求項２】
前記端末機は、メダル貸機、玉貸機、両替機、あるいは硬貨回収機であることを特徴とする請求項１記載の端末機のデータ消去システム。
【発明の詳細な説明】
【産業上の利用分野】
【０００１】
本発明は、遊技場内に設置された端末機からのデータを管理コンピュータで処理を行うことができる遊技場管理装置に係り、特に前記管理コンピュータにおいて収集データをリセットするときに、各端末機に記憶されている記憶データもリセットできるようにした端末機のデータ消去システムに関する。
【０００２】
【従来の技術】
従来、この種の遊技場管理装置は、遊技場内の各所に配置された現金扱い端末機と、前記各現金扱い端末機からの現金データを各端末機毎に集計できるホール管理コンピュータとを備えたものとして知られている。図６に、上記従来の遊技場管理装置を示す。この図において、遊技場管理装置１０１は、大別して、現金扱い端末機１０３と、ホール管理コンピュータ１０５とからなる。
【０００３】
現金扱い端末機１０３は、例えばメダル貸機１３１、両替機１３２、硬貨回収機１３３等から構成されている。メダル貸機１３１、両替機１３２および硬貨回収機１３３は、遊技場内の所定の箇所に設置されている。また、これら機器１３１、１３２、１３３は、所定の現金が投入されたときに当該投入された現金毎に処理を実行できる処理部１３５と、当該金額に関するデータを記憶できる記憶手段１３６と、前記金額に関するデータをを外部に送出できるデータ送出部１３７と、該記憶手段１３６に記憶された記憶結果を表示できる例えばＬＥＤディスプレイ等で構成された表示装置１３８と、前記記憶手段１３６のデータをリセットするリセットスイッチ１３９と、図示しないが現金を処理する機構部とから構成されている。
【０００４】
これら機器１３１、１３２、１３３は、各ケーブルを介してホール管理コンピュータ１０５に接続されている。
ホール管理コンピュータ１０５は、前記各現金扱い機器１３１、１３２、１３３からの現金データを受け取り、各現金扱い機器１３１、１３２、１３３毎に集計できるようになっている。このホール管理コンピュータ１０５は、例えば、演算処理装置１５１と、インターフェース１５２と、キーボード等の入力装置１５３と、ＣＲＴディスプレイ１５４と、プリンタ１５５とを備えている。
【０００５】
このような遊技場管理装置によれば、顧客が例えばメダル貸機１３１に一定の現金を投入すると、メダル貸機１３１では、処理部１３５の制御下に現金処理機構により現金を所定の位置等に搬送して計数し、その計数結果データを記憶手段１３６に記憶する。同時に、メダル貸機１３１では、当該計数結果データをデータ送出部１３７を介してホール管理コンピュータ１０５に送出する。
このホール管理コンピュータ１０５では、演算処理装置１３１により、個々の現金扱い端末機１３１、１３２、１３３から発信される売り上げ信号が加算集計される。この加算集計されたデータは、各現金扱い端末機１３１、１３２、１３３毎に、ＣＲＴディスプレイ１３４に表示される。
【０００６】
そして、ホール管理コンピュータ１０５で集計されたデータと現金とを照合し、これらが一致していれば、営業終了後または翌日の開店前に、ホール管理コンピュータ１０５および個々の現金扱い機器１３１、１３２、１３３ので扱ったデータを消去している。また、前記集計データと現金とが不一致のときには、ホール管理コンピュータ１０５のプリンタ１５５を介してプリントアウトされた集計表を見ながら、各機器１３１、１３２、１３３の表示装置１３８をチェックし、そのチェックの終了した後であって、営業終了後または翌日の開店前に、ホール管理コンピュータ１０５および個々の現金扱い機器１３１、１３２、１３３ので扱ったデータを消去している。
【０００７】
このデータ消去作業は、ホール管理コンピュータ１０５においては、コンピュータ技術の進歩に伴い、ＣＲＴディスプレイ１５５の画面と入力装置１５３とを使用し、対話形式で操作を行うことができる。したがって、非常に簡単な操作でデータの消去ができるとともに、不用なデータ消去等ができないようにしてあり、簡単で迅速にデータ消去作業を行うことを可能にし、しかもデータの安全性も図られている。
【０００８】
一方、現金扱い機器１３１、１３２、１３３のデータ消去作業は、ホール管理コンピュータ１０５のように簡単に行うことができなかった。その第１の理由は、これら機器１３１、１３２、１３３が数十箇所に設置されていること、各機器で扱ったデータをデータ送出部１３７からパルス信号として送出してもノイズ等によりホール管理コンピュータ１０５に正確に伝達されたないことがあること（このために、記憶手段１３６を設けて各機器毎にデータを保存している）、ノイズに影響されないように各機器１３１、１３２、１３３とホール管理コンピュータ１０５との間で通信を行うために両者間の通信系を多重にすることが考えられるが設備規模が大きくなって資金がかかること、などが挙げられる。
【０００９】
第２の理由は、各機器１３１、１３２、１３３側では簡単にデータが消去されないような対策が必要であり、そのためにリセット操作が複雑になることが挙げられる。例えば、各機器１３１、１３２、１３３に記憶されているデータを簡単に消去されないようにするためには、鍵式のリセットスイッチ１２５にしたり、あるいは通常の押しボタン形式のリセットスイッチ１２５であっても一定時間（例えば５〜７秒）以上押下し続けなければデータ消去がされないようにし、不用意にデータ消去がなされないようにして、データの安全面を確保している。これにより、データ消去作業が困難になる。
【００１０】
第３の理由は、現金扱い機器１３１、１３２、１３３においては現金を扱う関係から施錠面で強化されており、しかもその鍵を管理する者も限られていることが挙げられる。これは、数十箇所設置にも及ぶ現金扱い機器１３１、１３２、１３３のデータ消去作業を限られた人員で行わなければならす、多大な消去作業両になる。
【００１１】
第４の理由は、現金扱い端末機１３１、１３２、１３３のデータ消去状況を確認できないこと、ホール管理コンピュータ１０５との連携がとれていないことから、操作忘れによるデータの不一致の発生が挙げられる。
【００１２】
第５の理由は、現金扱い端末機１３１、１３２、１３３とホール管理コンピュータ１０５のデータ消去時間の差によるデータの不一致の発生が挙げられる。この点については以下に詳細に説明する。
【００１３】
例えば午前１０時００分から営業するパチンコ店において、現金扱い端末機１３１、１３２、１３３は全てデータ消去が完了しているものとし、かつ、午前９時４５分に顧客を入店させ、しかも、例えば午前９時５９分にホール管理コンピュータ１０５のデータ消去を行い、午前１０時００分に遊技台を全台開放し、しかる後に、一日の営業を終えたものと仮定する。このとき、９時４５分に入店した顧客は、当然、遊戯するために玉貸機１１０に現金を投入する。この現金は硬貨回収機１１２によって搬送されて計数されることになる。すると、次の第（１）項から第（３）項について、データに相違が生じることになる。
【００１４】
（１）台間玉貸機１１０にて午前９時４５分から閉店までに扱った金額（個々の表示無し）と、ホール管理コンピュータ１０５において午前９時５９分から閉店終了までに集計した金額（印字データ）。
（２）硬貨回収機１１２における午前９時４５分から閉店終了までに扱った現金の表示金額と、ホール管理コンピュータ１０５にて午前９時５９分から閉店終了までに集計した金額（印字データ）。
（３）硬貨回収機１１２にて午前９時４５分から閉店終了までに扱った現金（金額×台数和）と、ホール管理コンピュータ１０５にて午前９時５９分から閉店終了までに集計した金額（印字データ）。
【００１５】
これらデータの相違点は、現金扱い端末機１３１、１３２、１３３では午前９時４５分から扱った金額を送信しているに対して、ホール管理コンピュータ１０５では午前９時５９分にデータ消去しているため、このリセット時間以降の金額データのみしか残らないことにある。また、午前９時５９分現在に硬貨回収機１１２の搬送装置内に残った硬貨分がデータと不一致となる。
【００１６】
【発明が解決しようとする課題】
上述したように従来の遊技場管理装置では、ホール管理コンピュータ１０５については操作性やデータの安全性について向上しているものの、現金扱い機器１３１、１３２、１３３については次のような欠点があった。
【００１７】
（Ａ）現金扱い端末機１３１、１３２、１３３が遊技場内の数十箇所に設置されており、かつ、データを消去するには各現金扱い端末機１３１、１３２、１３３まで管理者等が赴き、各端末機１３１、１３２、１３３に設けられた鍵式のリセットスイッチ１３９を管理者等が操作し、あるいは押しボタン形式のリセットスイッチ１３９を一定時間押下することによりデータ消去するため、リセット作業に時間がかかり、かつ、リセット作業を忘れてしまうことがあった。
【００１８】
（Ｂ）現金扱い端末機１３１、１３２、１３３では現金を扱う関係から施錠がされており、しかもその鍵を管理する者も限られているので、限られた人員でもってデータ消去作業をする必要があり、多大な作業時間を要する欠点があった。
【００１９】
（Ｃ）現金扱い端末機１３１、１３２、１３３のデータ消去状況をホール管理コンピュータ１０５で確認できず、操作忘れによるデータの不一致が発生してしまうという欠点があった。
（Ｄ）現金扱い端末機１３１、１３２、１３３とホール管理コンピュータ１０５とのデータ消去時間の差によるデータの不一致が発生してしまうという欠点があった。
【００２０】
（Ｅ）現金扱い端末機１３１、１３２、１３３等のメンテナンス等を行うときに、間違えてデータを消去してしまうトラブルが発生してしまうという欠点があった。
（Ｆ）データの不一致が発生したときに、その原因を究明しようとしても現金管理者では手に負えず、専門技術者に依頼して現金の究明をしてみても、データ自体がバラバラであるため、原因追究の方法もなかった。
【００２１】
そこで、本発明の目的は、上記事情に鑑みてなされたものであり、遊技場内の売り上げ管理を明確にし、かつ、複数箇所に設置された現金扱い端末機のデータ消去作業を、短時間で、しかも安全かつ容易に行うことができる端末機のデータ消去システムを提供することにある。
【００２２】
【課題を解決するための手段】
上記目的を達成するために、請求項１記載の発明に係る端末機のデータ消去システムは、遊技場に設置され、データを記憶する記憶手段とデータの消去動作を制御する処理部を有する端末機からのデータをホール管理コンピュータで管理する遊戯場管理装置において、前記端末機内の記憶手段に記憶されたデータの消去を行うデータ消去装置を備えた端末機のデータ消去システムであって、前記ホール管理コンピュータは、その内部の集計データを消去に伴って前記ホール管理コンピュータから前記データ消去装置に対して消去信号を出力し、前記データ消去装置は、その消去信号を受信すると前記端末機へ電源電圧を供給し、前記端末機内の処理部は、前記電源電圧を供給されたことにより、前記記憶手段に記憶されていたでたデータを消去し、かつ、消去完了を知らせる消去完了信号を前記データ消去装置に送信し、前記データ消去装置は、消去完了信号を前記ホール管理コンピュータに送信し、前記ホール管理コンピュータは前記データ消去装置に対して消去信号の解除信号を出力して前記データ消去装置からの電源電圧の供給を停止させることを特徴とするものである。
【００２３】
請求項２記載の発明では、前記端末機は、メダル貸機、玉貸機、両替機、あるいは硬貨回収機であることを特徴とするものである。
【００２４】
【作用】
請求項１記載の発明では、遊技場内の各所に設置された端末機から入力された内容に関するデータが管理コンピュータに送られる。端末機では、入力された内容に関するデータを記憶しており、これを個別に表示できる。例えば、管理コンピュータで各端末機からのデータを集計し、これらを照合した結果、集計データや端末機に記憶されているデータを消去してよくなったとする。この場合、管理コンピュータに記憶されている集計データを消去すると、同時に管理コンピュータから消去信号が出力される。
【００２５】
この消去信号は、データ消去装置に与えられる。データ消去装置では、この消去信号に基づいてデータクリア信号を出力する。また、データ消去装置では、データクリア完了信号を受信待ちとなる。ここで、端末機は、クリア手段により記憶内容を消去する。これにより、端末機のクリア指令出力手段からデータクリア完了信号が出力される。データ消去装置では、データクリア完了信号を受信したところで、管理コンピュータに当該データを与える。これにより、管理コンピュータは、データクリアした端末機を確認できる。
【００２６】
請求項１記載の発明では、データ消去装置は、消去信号に基づいてデータクリア信号を出力する。また、データ消去装置は、前記端末機で記憶値の消去が終了したことを通知するデータクリア完了信号を受信したときに、これを当該端末機毎に管理コンピュータに伝達する。
【００２７】
請求項１記載の発明では、端末装置では、前記データ消去装置からのデータクリア信号を受信し、前記記憶手段内の記憶値をリセットできる。また、端末装置は、記憶手段内の記憶値をリセットしたときに消去確認信号を出力できる。
【００２８】
請求項１の発明では、データ消去装置は、消去信号により電圧出力機器を作動させることより、安定化電源回路の出力電圧をデータクリア信号として出力できる。このデータクリア信号の電圧は、端末装置で記憶手段の記憶データを消去する信号に変換ささせることができる。
請求項２記載の発明では、メダル貸機、玉貸機、両替機、あるいは硬貨回収機が端末機として挙げられる。
【００２９】
【実施例】
次に、本発明について図示の実施例を参照して説明する。図１は本発明に係る端末機のデータ消去システムの実施例における全体構成を示すブロック図である。この図において、遊技場管理装置１は、基本的に、現金扱い端末機３と、ホール管理コンピュータ５とからなる。本発明の端末機のデータ消去システムは、この遊技場管理装置１に対して、データ消去装置７を付加してなるものである。
【００３０】
前記現金扱い端末機３は、例えば、メダル貸機３１と、両替機３２と、硬貨回収機３３とが挙げられる。また、例えば硬貨回収機３３は、処理部３５の制御下に、自機が取り扱った現金種毎に処理を行い、当該金額データを記憶手段３６に記憶し、かつ、当該金額データをデータ送出部３７によりパルス信号に変換して外部に送出し、当該記憶手段３６に記憶された記憶結果を表示装置３８に表示できるようになっており、しかも、消去信号を受信して前記記憶手段３６内のデータをクリアするクリア手段４０と、前記記憶手段３６のデータクリアが完了したときにデータクリア完了信号を送出する完了信号送出手段４１とを備えている。なお、メダル貸機３１および両替機３２も、概ね、上記硬貨回収機３３と同様に構成されている。
【００３１】
また、前記各メダル貸機３１は、遊技機４２、４２、…の間にそれぞれ設けられている。両替機３２は、前記遊技機４２、４２、…が連なってなる島４３に端部４４や遊技場内の所定の位置に配置されている。また、硬貨回収機３３は、前記遊技機４２、４２、…が連なってなる島４３に端部４４に設けられている。これら機器３１、３２、３３は、ケーブルをそれぞれ介してホール管理コンピュータ５に接続されている。
【００３２】
このホール管理コンピュータ５は、前記各現金扱い機器３１、３２、３３からの現金データを受け取り、各現金扱い機器３１、３２、３３毎に集計できるようになっている。このホール管理コンピュータ５は、例えば、演算処理装置５１と、インターフェース５２と、キーボード等の入力装置５３と、ＣＲＴディスプレイ５４と、プリンタ５５とを備えている。
【００３３】
また、現金扱い端末機３におけるメダル貸機３１、両替機３２、硬貨回収機３３は、データ消去装置７にケーブルで接続されている。また、ホール管理コンピュータ５のインターフェース５２には、データ消去装置７がケーブルを介して接続されている。このデータ消去装置７は、ホール管理コンピュータ５で現金データが消去されるときに出力される消去信号を受信し、この消去信号に応じたクリア信号をメダル貸機３１、両替機３２および硬貨回収機３３のクリア手段４０に与えるクリア指令出力手段７１と、前記メダル貸機３１、両替機３２および硬貨回収機３３における記憶データの消去が終了したときに、各機器３１、３２、３３の完了信号送出手段４１から出力されるデータクリア完了信号を受信し、データクリア完了信号を波形成形してホール管理コンピュータ５に与えるクリア完了信号受信手段７２とからなる。
【００３４】
図２は、データ消去装置７、クリア手段４０および完了信号送出手段４１の具体例を示す回路図である。この図において、まず、データ消去装置７について説明すると、データ消去装置７は、既に説明したように、クリア指令出力手段７１と、クリア完了信号受信手段７２とからなる。このクリア指令出力手段７１は、大別して、電圧出力機器７１１と、駆動回路７１２と、安定化電源回路７１３と、分配回路７１４とからなる。電圧出力機器７１１は例えばリレーで構成すればよく、リレーならば励磁コイルＲＬと、接点ｒｌとから構成されている。
【００３５】
接点ｒｌの一端は安定化電源回路７１３の一方の出力端子に接続され、かつ、接点ｒｌの他端は分配回路７１４の一方の端子に接続されている。分配回路７１４の他方の端子は、安定化電源回路７１３の他方の出力端子に接続されている。また、磁コイルＲＬは駆動回路７１２に接続されている。前記駆動回路７１２は、ホール管理コンピュータ５で現金データが消去されるときに出力される消去信号を受信し、励磁コイルＲＬを励磁するようになっている。この分配回路７１４の一方の端子と他方の端子には、例えば硬貨回収機３３のクリア手段４０におけるホトカプラ４００の発光ダイオード４０１が接続されている。
【００３６】
また、前記クリア完了信号受信手段７２には、例えば硬貨回収機３３の完了信号送出手段４１のホトカプラ４１０のトランジスタ４１２が接続されている。このクリア完了信号受信手段７２は、例えば硬貨回収機３３の記憶データの消去が終了したときに、トランジスタ４１１がオンとなることを検出し、データクリア完了信号としてホール管理コンピュータ５に与えるようになっている。
【００３７】
ここで、硬貨回収機３３は、クリア手段４０と、完了信号送出手段４１とからなり、既に説明したように、クリア手段４０および完了信号送出手段４１とも処理部３５に接続されている。クリア手段４０は、ホトカプラ４００と、補助回路４０５とからなる。補助回路４０５は、ホトカプラ４００の発光ダイオード４０１が点灯（クリア信号）すると、トランジスタ４０２がオンとなるので、これをクリア信号として処理部３５に与える。
【００３８】
また、完了信号送出手段４１は、ホトカプラ４１０と、補助回路４１５とからなる。この補助回路４０５は、処理部３５で記憶手段３６の所定のデータが消去されたときに、処理部３５から出力されるデータクリア完了信号を受信して、発光ダイオード４１１を点灯させるものである。ホトカプラ４１０は、発光ダイオード４１１が点灯すると、トランジスタ４１２がオンとなるようになっている。
【００３９】
このように構成された実施例の動作を図１および図２を基に図３〜図５を参照して説明する。ここで、図３は、同実施例の動作を説明するためのフローチャートである。図４は、同実施例の動作を説明するためのタイミングチャートである。図５は、同実施例の動作を説明するために使用する参考図である。
【００４０】
例えば、営業が終了した後に、ホール管理コンピュータ５では、現金扱い端末機３について各機器３１、３２、３３毎にデータを集計する。この集計されたデータは、プリンタ５５で各機器３１、３２、３３毎に印刷される。この印刷されたデータを見ながら、各機器３１、３２、３３に表示されたデータと照合する。
【００４１】
また、現実の現金と照合する。これら照合が終了し、データをクリアしてもよいことになったとする。安定化電源回路７１３等がまず作動状態になっているか確認する（図３のステップ（Ｓ）２００）。次に、ホール管理コンピュータ５のＣＲＴディスプレイ５４と入力装置５３とを用いて、対話形式で所定の集計データを消去する（Ｓ２０１）。ホール管理コンピュータ５は、集計データの全てがクリアされたときに、消去信号をデータ消去装置７の駆動回路７１２に出力する（図４の時刻ｔ１）。駆動回路７１２は、前記消去信号を保持するとともに、電圧出力機器７１１のリレーの励磁コイルＲＬを励磁する。これにより、電圧出力機器７１１のリレーの接点ｒｌが閉じることになる（Ｓ２０２）。
【００４２】
したがって、分配回路７１４の一方の電極と当該分配回路７１４の他方の電極とには、安定化電源回路７１３から所定の電圧が供給されることになる。この電圧は、メダル貸機３１、両替機３２および硬貨回収機３３に設置されているクリア手段４０のホトカプラ４００の発光ダイオード４０１に供給されるので、発光ダイオード４０１は点灯する。すると、ホトカプラ４００のトランジスタ４０２はオンとなる。トランジスタ４０２がオン状態になると、補助回路４０５はクリア信号処理部３５に与える。処理部３５では、前記補助回路４０５からのクリア信号により記憶手段３６内の所定のデータを消去する（Ｓ２０３）。
【００４３】
処理部３５は、記憶手段３６内の所定のデータの消去が終了したことを確認すると、データクリア完了信号を完了信号送出手段４１の補助回路４１５に出力する（図４の時刻ｔ２）。すると、補助回路４１５は、ホトカプラ４１０の発光ダイオード４１１を点灯する。これにより、ホトカプラ４００のトランジスタ４１２がオンとなる。このオン信号は、クリア完了信号受信手段７２で受信される。クリア完了信号受信手段７２では、各機器３１、３２、３３等からのクリア完了信号をホール管理コンピュータ５に与える。
【００４４】
ホール管理コンピュータ５では、各機器３１、３２、３３毎にデータクアリ完了信号を受け取ると、図５に示すように、各機器３１、３２、３３毎に「端末機データ−一覧、端末１− 消去、端末２−消去、…、端末８−消去」というような画面８００をＣＲＴディスプレイ５４上に表示する（Ｓ２０４）。また、ホール管理コンピュータ５は、全ての現金扱い端末機３のデータクリア完了信号を受信し、かつ、所定時間経過すると、データクリア信号の解除信号をデータ消去装置７の駆動回路７１２に出力する（Ｓ２０５）。これにより、電圧出力機器７１１のリレーの励磁コイルＲＬが非励磁状態になり、分配回路７１４の両電極には、電圧が供給されないとこになる。したがって、データクリア信号は、オフとなる（図４の時刻ｔ３ ）。
【００４５】
なお、メダル貸機３１、両替機３２および硬貨回収機３３において、完了信号送出手段４１は、図４の時刻ｔ３以降もデータクリア完了信号を出力し続けるようになっている。そして、翌営業日になって、各現金扱い端末機３に現金が投入されて、データが発生すると（図４の時刻ｔ４）、処理部３５は、データ送出部３７を介してデータを送出するとともに、完了信号送出手段４１の補助回路４１５を制御して、発光ダイオード４１１の発光を停止させる。これにより、データクリア完了信号は、停止することになる（図４の時刻ｔ４ ）。
【００４６】
上述したように本実施例では、従来個々の操作で行っていたデータ消去作業を、ホール管理コンピュータ５のデータ消去に伴って、自動的に、かつ、一斉に消去できるようにしてあるので、数十箇所設置にも設置された現金扱い端末機３であるメダル貸機３１、両替機３２および硬貨回収機３３のデータ消去作業を簡単な操作で行うことができ、かつ、操作し忘れを防止や消去時間の差による不一致の防止を行うことができ、しかも作業時間や労力の省力化により人件費を低減できることになる。
【００４７】
なお、上記実施例では、ホール管理コンピュータ５のデータ消去に伴い出力される消去信号を有線でデータ消去装置７に与えるようにしているが、もちろん無線等の回線を使用しておこなうようしてもよい。また、現金扱い端末機３としては、上記実施例で示したメダル貸機３１、両替機３２、硬貨回収機３３に限らず、玉計数器や、ポス・チケッター、カード券売機等も考えられる。
【００４８】
【発明の効果】
以上説明したように請求項１記載の発明では、数十ケ所に及ぶ端末機器のデーター消去作業を管理コンピュータのデータ消去作業に連動して行わせることができるので、時間と労力が節減できる。また、同請求項１記載の発明では、操作し忘れ等が存在しないため、明確な金銭管理が行える。
【００４９】
さらに、請求項１記載の発明では、管理コンピューターとの連携がとれているため、操作性や安全面が保証されることになる。請求項１記載の発明では、データ消去装置が消去信号に基づいてデータクリア信号を出力し、かつ、データ消去装置で前記端末機の記憶値の消去が終了したことを知ることができるので、端末機の一斉データクリアができ、しかも操作性や安全面が保証されることになる。
【００５０】
請求項１記載の発明では、端末機内の所定の記憶値を消去でき、かつ、消去確認としてデータクリア完了信号を管理コンピュータ側に送出できる。請求項１の発明では、データクリア信号として一定の電圧を出力できるようにしたので、データクリア信号を確実に伝達できることになる。
請求項２記載の発明では、端末機の種類をメダル貸機、玉貸機、両替機、あるいは硬貨回収機としており、各種の端末機のデータクリアを行うことができる。
【図面の簡単な説明】
【図１】本発明の端末機のデータ消去システムの実施例を示すブロック図である。
【図２】同実施例の要部を示すブロック図である。
【図３】同実施例の動作を説明するためのフローチャートである。
【図４】同実施例の動作を説明するためのタイミングチャートである。
【図５】同実施例の動作を説明するための図である。
【図６】従来の遊技場管理装置を示すブロック図である。
【符号の説明】
１・・・遊技場管理装置
３・・・現金扱い端末機
５・・・ホール管理コンピュータ
７・・・データ消去装置
３１・・・メダル貸機
３２・・・両替機
３３・・・硬貨回収機
３５・・・処理部
３６・・・記憶手段
３７・・・データ送出部
３８・・・表示装置
４０・・・クリア手段
４１・・・完了信号送出手段
５１・・・演算処理装置
５２・・・インターフェース
５３・・・入力装置
５４・・・ＣＲＴディスプレイ
５５・・・プリンタ
【図１】
0003630770.tif 000002
【図２】
0003630770.tif 000003
【図３】
0003630770.tif 000004
【図４】
0003630770.tif 000005
【図５】
0003630770.tif 000006
【図６】
0003630770.tif 000007